(57)【特許請求の範囲】
【請求項１】
関係者と関係者以外の第三者とを判別して施設への入退場を管理する為の入退場管理ゲートと、前記関係者が保持するＩＤ端末とを備えた入退場管理システムであって、
前記入退場管理ゲートは各関係者に対応してＩＤを発生するＩＤ発生手段と、該ＩＤ発生手段により発生されたＩＤと関係者の個人情報とをＩＤ情報として記憶する記憶手段と、ＩＤを少なくとも含むＩＤ情報の所定部分をＩＤ照合情報として前記記憶手段より取り出し当該関係者のＩＤ端末に無線基地局を有する公衆電話回線を介して伝送する伝送手段と、前記ＩＤ端末からＩＤ照合情報を受け取る手段と、受け取ったＩＤ照合情報と前記記憶手段に記憶されたＩＤ情報とを照合する照合手段とを備えており、
前記ＩＤ端末は前記伝送手段から伝送されるＩＤ照合情報を受信する受信手段と、受信したＩＤ照合情報を前記入退場管理ゲートにて受け取り可能な形態に変換するデータ変換手段とを備えており、
前記ＩＤ発生手段はＩＤを時間的に更新する機能を有しており、記憶手段に記憶されたＩＤを更新したＩＤに書き換えると共に、更新したＩＤを含むＩＤ照合情報をＩＤ端末に伝送することを特徴とする入退場管理システム。
【請求項２】
関係者と関係者以外の第三者とを判別して施設への入退場を管理する為の入退場管理ゲートと、前記関係者が保持するＩＤ端末とを備えた入退場管理システムであって、
前記入退場管理ゲートは、各関係者に対応してＩＤを発生するＩＤ発生手段と、該ＩＤ発生手段により発生されたＩＤと関係者の個人情報とをＩＤ情報として記憶する記憶手段と、ＩＤを少なくとも含むＩＤ情報の所定部分をＩＤ照合情報として前記記憶手段より取り出し当該関係者のＩＤ端末に無線基地局を有する公衆電話回線を介して伝送する伝送手段と、前記ＩＤ端末からＩＤ照合情報を受け取る手段と、受け取ったＩＤ照合情報と前記記憶手段に記憶されたＩＤ情報とを照合する照合手段とを備えており、
前記ＩＤ端末は、前記伝送手段から伝送されるＩＤ照合情報を受信する受信手段と、受信したＩＤ照合情報を前記入退場管理ゲートにて受け取り可能な形態に変換するデータ変換手段とを備えており、
前記ＩＤ発生手段は、ＩＤを時間的に更新する機能を有しており、記憶手段に記憶されたＩＤを更新したＩＤに書き換えることを特徴とする入退場管理システム。
【請求項３】
前記ＩＤ端末は、ページャ或いは携帯電話であることを特徴とする請求項１または２ に記載の入退場管理システム。
【請求項４】
前記ＩＤ発生手段は、所定のタイミングを発生するタイマー手段に基づいてＩＤを更新するものであることを特徴とする請求項１乃至３の何れかに記載の入退場管理システム。
【請求項５】
前記入退場管理ゲートは、更に、緊急事態が生じた旨の緊急信号を入力する入力手段を備え、該入力手段に緊急信号の入力があったとき、前記照合手段における照合動作を中止するとともに、ゲートを開錠状態とすることが可能なことを特徴とする請求項１乃至４の何れかに記載の入退場管理システム。
【請求項６】
前記データ変換手段は、ＩＤ照合情報をバーコードに変換する変換手段と、このバーコードを表示するための表示手段とを有するものであり、
前記入退場管理ゲートは、ＩＤ照合情報を受け取る手段としてバーコード読み取り装置を用いたことを特徴とする請求項１乃至５の何れかに記載の入退場管理システム。
【請求項７】
前記データ変換手段は、ＩＤ照合情報を無線信号に変換して送出する無線送信手段を有するものであり、
前記入退場管理ゲートは、ＩＤ照合情報を受け取る手段として前記無線送信手段からの無線信号を受信可能な受信装置を用いたことを特徴とする請求項項１乃至５の何れかに記載の入退場管理システム。
【請求項８】
バーコードを使用した本人確認装置であって、
予め登録された関係者の個人情報に基づいて生成され時間的に更新されるＩＤを含むＩＤ情報を記憶手段に保存すると共に、該ＩＤ情報若しくは少なくともＩＤを含むＩＤ情報の一部を前記関係者が所持するＩＤ端末にＩＤ照合情報として無線基地局を有する公衆電話回線を介して伝送する手段と、
前記関係者が所持するＩＤ端末の表示手段に表示されたバーコードを読み取る手段と、
前記読み取ったバーコードを変換して得られるＩＤ照合情報が前記記憶手段に保存されているＩＤ情報と一致するか否かを比較照合する手段と、
比較照合の結果一致していたときに照合が一致した旨の信号を出力する手段と、を備えることを特徴とするバーコードを使用した本人確認装置。
【請求項９】
バーコードを使用した本人確認装置であって、
予め登録された関係者の個人情報に基づいて生成され時間的に更新されるＩＤを含むＩＤ情報を記憶手段に保存すると共に、該ＩＤ情報若しくは少なくともＩＤを含むＩＤ情報の一部を前記関係者が所持するＩＤ端末にＩＤ照合情報として無線基地局を有する公衆電話回線を介して伝送する手段と、
前記関係者が所持するＩＤ端末の表示手段に表示されたバーコードを読み取る手段と、
前記読み取ったバーコードを変換して得られるＩＤ照合情報が前記記憶手段に保存されているＩＤ情報と一致するか否かを比較照合する手段と、
比較照合の結果一致していたときに照合が一致した旨の信号を出力する手段と、
緊急事態が生じた旨の緊急信号に対応して前記比較照合する手段における照合動作を中止する手段と、を備えることを特徴とするバーコードを使用した本人確認装置。
【請求項１０】
バーコードを使用した本人確認方法であって、
予め登録された関係者の個人情報に基づいて生成され時間的に更新されるＩＤを含むＩＤ情報を記憶手段に保存すると共に、該ＩＤ情報若しくは少なくともＩＤを含むＩＤ情報の一部を前記関係者が所持するＩＤ端末にＩＤ照合情報として無線基地局を有する公衆電話回線を介して伝送するステップと、
前記関係者が所持するＩＤ端末の表示手段に表示されたバーコードを読み取るステップと、
前記読み取ったバーコードを変換して得られるＩＤ照合情報が記憶手段に保存されているＩＤ情報と一致するか否かを比較照合するステップと、
比較照合の結果一致していたときに照合が一致した旨の信号を出力するステップと、を備えることを特徴とするバーコードを使用した本人確認方法。
【請求項１１】
バーコードを使用した本人確認方法であって、
予め登録された関係者の個人情報に基づいて生成され時間的に更新されるＩＤを含むＩＤ情報を記憶手段に保存すると共に、該ＩＤ情報若しくは少なくともＩＤを含むＩＤ情報の一部を前記関係者が所持するＩＤ端末にＩＤ照合情報として無線基地局を有する公衆電話回線を介して伝送するステップと、
前記関係者が所持するＩＤ端末の表示手段に表示されたバーコードを読み取るステップと、
前記読み取ったバーコードを変換して得られるＩＤ照合情報が記憶手段に保存されているＩＤ情報と一致するか否かを比較照合するステップと、
比較照合の結果一致していたときに照合が一致した旨の信号を出力するステップと、
緊急事態が生じた旨の緊急信号に対応して前記比較照合するステップにおける照合動作を中止するステップと、を備えることを特徴とするバーコードを使用した本人確認方法。
【発明の詳細な説明】
【０００１】
【発明の属する技術分野】
本発明はページャ（選択呼出受信機）機能付きＩＤ端末をＩＤカード等の識別媒体として使用した入退場管理システムに関する。
【０００２】
【従来の技術】
従来、研究所や軍事施設等の高度の機密が要求される場所への入場は予め指定された特定の人に制限されている。これらの指定された人のデータをコンピュータ等に登録すると同時に本人の身元や身分を保証するするための顔写真入りのＩＤカードを警備員等に提示し、警備員が本人と確認すれば入場を許可する方法が一般的である。この方法はＩＤカードとそれを所持する本人とを直接警備員が確認するので安全で確実な方法であるが、このために警備員を常時配置し、入場者は施設の入り口で一旦停止してＩＤカードを提示して一々確認をとらなければならず入場手続きが煩雑で時間もかかるという問題があった。
そこで、近年ではＩＤカードに記録されたＩＤ情報を自動的に読みとる入退場管理システムが導入されるようになり、警備員による目視確認を不要とすることが可能になった。
【０００３】
図4は、従来のＩＤカードによる入退場管理システムを示したブロック図である。
同図に示した入退場管理システムは、当人の社員番号や認識番号等のＩＤ情報が磁気的に記録されているＩＤカード401と、前記ＩＤカード401からＩＤ情報を磁気的に読みとり電気的信号としてＩＤ情報信号を出力するカードリーダ402と、入退場者全てのＩＤ情報を記憶する記憶手段403と、前記カードリーダ402からのＩＤ情報と前記記憶手段403の全ＩＤ情報とを比較照合し開錠信号を送出する照合部404と、前記照合部404からの開錠信号に従い入退場用のドアの鍵を開錠するドアキー部405とを備えている。
【０００４】
以下図示した従来例についてその動作を説明する。
記憶手段403には施設等の職場に入場を許可された従業員や関係者（以下関係者という）の名前、生年月日、職場名、職位及び社員番号等の個人データがＩＤ情報として登録されている。前記関係者は会社名と社員番号等のＩＤ照合情報を磁気的に記録したＩＤカード401を所持している。
前記関係者は職場に入場する際、入場口のドア付近に設置されたカードリーダ402に前記ＩＤカードを通す。前記カードリーダ402は前記ＩＤカード401からＩＤ照合情報を読みとり照合部404へ出力する。前記照合部404は前記ＩＤ照合情報と前記記憶手段403に記憶されたＩＤ情報とを照合し両者が一致すれば開錠信号をドアキー部405へ送出する。前記ドアキー部405は前記開錠信号に従いドアを閉錠から開錠の状態にする。また、照合した結果両者が一致しない場合はドアは閉錠の状態が保たれる。このように、関係者の所持するＩＤカード401に書き込まれたＩＤ照合情報と記憶手段403に記憶されているＩＤ情報を照合し両者が一致するか否かを判定することによって施設への入退場を管理している。
【０００５】
【発明が解決しようとする課題】
しかしながら、以上説明した従来のＩＤカードによる入退場管理システムでは以下のような問題点があった。
すなわち、関係者がＩＤカードを紛失したり又は盗難されてしまうといった場合、ＩＤカードが関係者以外の第三者の手に渡ってしまう。このとき、第三者は入手したＩＤカードを使用すれば当然施設へ不正に立ち入ることができてしまう。
更に、第三者は入手したＩＤカードの磁気情報を不正に読みとりＩＤカードの複製を多数偽造することも可能になる。その結果、関係者以外の者が不特定多数、不正に施設に立ち入ることができてしまうといった問題点があった。
【０００６】
本発明は、上述した問題点を解決するためになされたものであって、ページャ機能付きＩＤ端末をＩＤカードの代わりに利用することで、不正な偽造を防止できかつセキュリティ機能の高い入退場管理システムを提供することを目的とする。
【０００７】
【課題を解決するための手段】
上記目的を解決するために、本発明に係わる入退場管理システムの請求項１記載の発明は、関係者と関係者以外の第三者とを判別して施設への入退場を管理する為の入退場管理ゲートと、前記関係者が保持するＩＤ端末とを備えた入退場管理システムであって、前記入退場管理ゲートは各関係者に対応してＩＤを発生するＩＤ発生手段と、該ＩＤ発生手段により発生されたＩＤと関係者の個人情報とをＩＤ情報として記憶する記憶手段と、ＩＤを少なくとも含むＩＤ情報の所定部分をＩＤ照合情報として前記記憶手段より取り出し当該関係者のＩＤ端末に無線基地局を有する公衆電話回線を介して伝送する伝送手段と、前記ＩＤ端末からＩＤ照合情報を受け取る手段と、受け取ったＩＤ照合情報と前記記憶手段に記憶されたＩＤ情報とを照合する照合手段とを備えており、前記ＩＤ端末は前記伝送手段から伝送されるＩＤ照合情報を受信する受信手段と、受信したＩＤ照合情報を前記入退場管理ゲートにて受け取り可能な形態に変換するデータ変換手段とを備えており、前記ＩＤ発生手段はＩＤを時間的に更新する機能を有しており、記憶手段に記憶されたＩＤを更新したＩＤに書き換えると共に、更新したＩＤを含むＩＤ照合情報をＩＤ端末に伝送することを特徴とする。
また、本発明に係わる入退場管理システムの請求項２記載の発明は、関係者と関係者以外の第三者とを判別して施設への入退場を管理する為の入退場管理ゲートと、前記関係者が保持するＩＤ端末とを備えた入退場管理システムであって、前記入退場管理ゲートは、各関係者に対応してＩＤを発生するＩＤ発生手段と、該ＩＤ発生手段により発生されたＩＤと関係者の個人情報とをＩＤ情報として記憶する記憶手段と、ＩＤを少なくとも含むＩＤ情報の所定部分をＩＤ照合情報として前記記憶手段より取り出し当該関係者のＩＤ端末に無線基地局を有する公衆電話回線を介して伝送する伝送手段と、前記ＩＤ端末からＩＤ照合情報を受け取る手段と、受け取ったＩＤ照合情報と前記記憶手段に記憶されたＩＤ情報とを照合する照合手段とを備えており、前記ＩＤ端末は、前記伝送手段から伝送されるＩＤ照合情報を受信する受信手段と、受信したＩＤ照合情報を前記入退場管理ゲートにて受け取り可能な形態に変換するデータ変換手段とを備えており、前記ＩＤ発生手段は、ＩＤを時間的に更新する機能を有しており、記憶手段に記憶されたＩＤを更新したＩＤに書き換えることを特徴とする。
また、本発明に係わる入退場管理システムの請求項３記載の発明は、請求項１または２ に記載の入退場管理システムにおいて、前記ＩＤ端末は、ページャ或いは携帯電話であることを特徴とする。
また、本発明に係わる入退場管理システムの請求項４記載の発明は、請求項１乃至３の何れかに記載の入退場管理システムにおいて、前記ＩＤ発生手段は、所定のタイミングを発生するタイマー手段に基づいてＩＤを更新するものであることを特徴とする。
また、本発明に係わる入退場管理システムの請求項５記載の発明は、請求項１乃至４の何れかに記載の入退場管理システムにおいて、前記入退場管理ゲートは、更に、緊急事態が生じた旨の緊急信号を入力する入力手段を備え、該入力手段に緊急信号の入力があったとき、前記照合手段における照合動作を中止するとともに、ゲートを開錠状態とすることが可能なことを特徴とする。
また、本発明に係わる入退場管理システムの請求項６記載の発明は、請求項１乃至５の何れかに記載の入退場管理システムにおいて、前記データ変換手段は、ＩＤ照合情報をバーコードに変換する変換手段と、このバーコードを表示するための表示手段とを有するものであり、前記入退場管理ゲートは、ＩＤ照合情報を受け取る手段としてバーコード読み取り装置を用いたことを特徴とする。
また、本発明に係わる入退場管理システムの請求項７記載の発明は、請求項１乃至５の何れかに記載の入退場管理システムにおいて、前記データ変換手段は、ＩＤ照合情報を無線信号に変換して送出する無線送信手段を有するものであり、前記入退場管理ゲートは、ＩＤ照合情報を受け取る手段として前記無線送信手段からの無線信号を受信可能な受信装置を用いたことを特徴とする。
また、本発明に係わる本人確認装置の請求項８記載の発明は、バーコードを使用した本人確認装置であって、予め登録された関係者の個人情報に基づいて生成され時間的に更新されるＩＤを含むＩＤ情報を記憶手段に保存すると共に、該ＩＤ情報若しくは少なくともＩＤを含むＩＤ情報の一部を前記関係者が所持するＩＤ端末にＩＤ照合情報として無線基地局を有する公衆電話回線を介して伝送する手段と、前記関係者が所持するＩＤ端末の表示手段に表示されたバーコードを読み取る手段と、前記読み取ったバーコードを変換して得られるＩＤ照合情報が前記記憶手段に保存されているＩＤ情報と一致するか否かを比較照合する手段と、比較照合の結果一致していたときに照合が一致した旨の信号を出力する手段と、を備えることを特徴とする。
また、本発明に係わる本人確認装置の請求項９記載の発明は、バーコードを使用した本人確認装置であって、予め登録された関係者の個人情報に基づいて生成され時間的に更新されるＩＤを含むＩＤ情報を記憶手段に保存すると共に、該ＩＤ情報若しくは少なくともＩＤを含むＩＤ情報の一部を前記関係者が所持するＩＤ端末にＩＤ照合情報として無線基地局を有する公衆電話回線を介して伝送する手段と、前記関係者が所持するＩＤ端末の表示手段に表示されたバーコードを読み取る手段と、前記読み取ったバーコードを変換して得られるＩＤ照合情報が前記記憶手段に保存されているＩＤ情報と一致するか否かを比較照合する手段と、比較照合の結果一致していたときに照合が一致した旨の信号を出力する手段と、緊急事態が生じた旨の緊急信号に対応して前記比較照合する手段における照合動作を中止する手段と、を備えることを特徴とする。
また、本発明に係わる本人確認方法の請求項１０記載の発明は、バーコードを使用した本人確認方法であって、予め登録された関係者の個人情報に基づいて生成され時間的に更新されるＩＤを含むＩＤ情報を記憶手段に保存すると共に、該ＩＤ情報若しくは少なくともＩＤを含むＩＤ情報の一部を前記関係者が所持するＩＤ端末にＩＤ照合情報として無線基地局を有する公衆電話回線を介して伝送するステップと、前記関係者が所持するＩＤ端末の表示手段に表示されたバーコードを読み取るステップと、前記読み取ったバーコードを変換して得られるＩＤ照合情報が記憶手段に保存されているＩＤ情報と一致するか否かを比較照合するステップと、比較照合の結果一致していたときに照合が一致した旨の信号を出力するステップと、を備えることを特徴とする。
また、本発明に係わる本人確認方法の請求項１１記載の発明は、バーコードを使用した本人確認方法であって、予め登録された関係者の個人情報に基づいて生成され時間的に更新されるＩＤを含むＩＤ情報を記憶手段に保存すると共に、該ＩＤ情報若しくは少なくともＩＤを含むＩＤ情報の一部を前記関係者が所持するＩＤ端末にＩＤ照合情報として無線基地局を有する公衆電話回線を介して伝送するステップと、前記関係者が所持するＩＤ端末の表示手段に表示されたバーコードを読み取るステップと、前記読み取ったバーコードを変換して得られるＩＤ照合情報が記憶手段に保存されているＩＤ情報と一致するか否かを比較照合するステップと、比較照合の結果一致していたときに照合が一致した旨の信号を出力するステップと、緊急事態が生じた旨の緊急信号に対応して前記比較照合するステップにおける照合動作を中止するステップと、を備えることを特徴とする。
【０００８】
【発明の実施の形態】
以下、図示した実施の形態例に基づいて本発明を詳細に説明する。
図1は本発明に係わる入退場管理システムの実施の形態例を示すブロック図である。
この例に示す入退場管理システムは、所定の時間間隔で時間信号を送出するタイマー101と、前記タイマー101からの時間信号に従い所定の周期毎にランダムに変化する所定数のＩＤ番号を発生するＩＤ番号発生部102と、前記ＩＤ番号発生部102からのＩＤ番号と入力手段から登録した情報をＩＤ情報として処理する制御部103と、前記制御部103から登録されたＩＤ情報を記憶する記憶手段104と、前記記憶手段104からＩＤ情報の一部を読み出しＩＤ照合情報として公衆電話回線105を介して伝送する回線接続部106と、前記公衆回線105からの前記ＩＤ照合情報を無線信号として送信する無線基地局107と、前記無線基地局107からの無線信号を受信しＩＤ照合情報をバーコードにて表示する為の液晶表示部を備えたページャ機能付きＩＤ端末108a,108b,108c・・・・と、前記ＩＤ端末108a,108b,108c・・・・のバーコード表示したＩＤ照合情報を光学的に読みとり電気信号に変換して出力するバーコード読取部109と、前記バーコード読取部109からのＩＤ照合情報と前記記憶手段102のＩＤ情報とを比較照合し開錠信号を発生する照合部110と、前記照合部110からの開錠信号に従い入退場のドアの開錠を行うドアキー部111とを備えている。
【０００９】
以下図示した実施の形態例についてその動作を詳細に説明する。
まず、入力手段を用いて制御部103に各関係者の氏名、社員番号、電話番号等の個人情報を所定人数分入力する。前記制御部103は前記入力手段から個人情報が入力されると前記所定人数分に応じてＩＤ数制御信号をＩＤ番号発生部102へ送出する。ＩＤ番号発生部102は前記ＩＤ数制御信号に従いランダムな数値配列をしたＩＤ番号を所定人数分発生すると共に前記制御部103へ送出する。
【００１０】
前記制御部103は前記ＩＤ番号と前記個人情報をＩＤ情報として記憶手段104へ書き込むと共に回線接続信号を回線接続部106へ送出する。
前記回線接続部106は前記制御部103から回線接続信号を受信すると前記記憶手段104に保存されたＩＤ情報から所定の電話番号を読み出すと共に公衆電話回線105と無線基地局105を介してＩＤ端末108aを呼び出す。前記回線接続部106は前記ＩＤ端末108aを呼び出すと前記記憶手段104に保存されたＩＤ情報のうち氏名、社員番号、ＩＤ番号等の所定部分をＩＤ照合情報として読み出し前記公衆電話回線105及び前記無線基地局107を介して前記ＩＤ端末108aへ送出する。
前記ＩＤ端末108aはいわゆるページャ端末であり、図3に示すような構成を有する。ＩＤ端末108aは前記ＩＤ照合情報を受信するとアンテナ301と高周波受信部302と復調部303を経て記憶手段304に記憶され、またその内容が表示部305にバーコードとして表示される。
【００１１】
前記回線制御部106は前記ＩＤ端末108aにＩＤ照合情報の送出を完了すると同様に他のＩＤ端末108b、108c・・・・へもそれぞれＩＤ照合情報を送出する。その結果前記ＩＤ端末108b、108c・・・・の表示部にはそれぞれ各ＩＤ端末固有のＩＤ照合情報が表示されることになる。
次に、ＩＤ端末108aを所持した関係者が入退場のドアを通過する際、前記ＩＤ端末108aのバーコードとして表示されたＩＤ照合情報をバーコード読取部109に接触させる。前記バーコード読取部109は前記ＩＤ端末108aのバーコード表示部分からＩＤ照合情報を光学的に読み取るとともに電気信号に変換し照合部110へ送出する。前記照合部110は前記ＩＤ照合情報が記憶手段104に保存されているＩＤ情報に一致しているか比較照合する。比較照合の結果一致していれば照合部110は開錠信号をドアキー111に送出し入退場のドアが一定時間開錠され関係者は前記入退場のドアを通過することができる。比較照合の結果不一致の場合、照合部110は開錠信号を送出しないので入退場のドアは開錠されずに閉錠の状態を維持する。
【００１２】
次に、所定の時間が経過するとタイマー101が時間信号をＩＤ番号発生部102に対して送出する。ＩＤ番号発生部102は前記時間信号を受信すると新たに所定人数分のＩＤ番号を発生し制御部103へ送出する。
前記制御部103は記憶手段104に保存されていたＩＤ番号を新たなＩＤ番号に書き換えるとともに、回線接続部106に対して回線接続信号を送出する。
前記回線接続部106は前記回線接続信号を受信すると記憶手段104に保存されたＩＤ情報から所定の電話番号を読み出すと共に公衆電話回線105と無線基地局1055を介してＩＤ端末108a、108b・・・・をそれぞれ呼び出しＩＤ照合情報を送出する。
その結果、ＩＤ端末108a、108b・・・・の表示部には更新されたＩＤ照合情報がバーコード表示されることになる。
【００１３】
このように、各ＩＤ端末108a、108b・・・・の表示部にバーコード表示されるＩＤ照合情報はタイマー101が発生する時間信号に基づいて所定時間毎に更新されることになるので、関係者以外の者がＩＤ端末を不正に入手したとしても、それが発覚した時点で当該ＩＤ端末へのＩＤ照合情報の更新を停止すれば入退場のドアを通過することは不可能となる。一方、ＩＤ端末の表示部にバーコード表示されたＩＤ照合情報をコピーすれば一時的に入退場のドアを通過できるがＩＤ照合情報が更新された時点で入退場のドアを通過する事は不可能となるので、従来のＩＤカードによる入退場管理システムのように大量偽造をすることは不可能であり、極めて偽造防止効果の高い入退場管理システムを構成することができる。
【００１４】
図2は本発明に係わる第二の実施の形態例を示すブロック図である。
図2は上述した図1での実施例に加えて制御部103と照合部110間に信号線を二系統追加したものである。この実施例では、まず前述したＩＤ情報の入力方法と同様に、関係者一部のグループに共通のＩＤ番号であるグループＩＤ番号を付与し入力手段を用いて該グループＩＤ番号を入力する。すると制御部103は記憶手段104に前記グループＩＤ番号を他のＩＤ情報とともに保存する。
【００１５】
次に、制御部103は回線接続部106に回線接続信号を送出し、回線接続部106は公衆電話回線105及び無線基地局107を介してグループＩＤ番号を付与された関係者が所持するＩＤ端末に前記グループＩＤ番号をＩＤ照合情報とともに送出する。
すると、前記ＩＤ端末はＩＤ照合情報と共にグループＩＤ番号がバーコード表表示される。また、前記制御部103は照合部110に対してグループ照合制御信号を送出し、照合部110は前記グループ照合制御信号を受信するとＩＤ照合情報の中にグループＩＤ番号が含まれているか否かを判定し、グループＩＤが含まれていれば通常の照合を実施し、グループＩＤ番号が含まれていない場合は、照合を実施せずドアキー111を閉錠状態とする。
このように、関係者中である特定グループにグループＩＤを付与すれば一時的に前記特定グループのみを入退場のドアを通過させるといった管理も可能となる。
【００１６】
また、火災等に緊急事態が生じた場合、入力手段で緊急信号を制御部103へ入力すると制御部103は照合制御信号を照合部110に送出する。前記照合部110は前記照合制御信号を受信すると全ての照合動作を中止するとともにドアキー111を開錠状態とする。その結果、緊急時にはＩＤ端末を所持しなくとも入退場のドアを自由に通過できるといったことも可能になる。
【００１７】
以上説明した本発明の実施例においては、ＩＤ端末にＩＤ照合情報をバーコード表示させたものをバーコード読取部で光学的に読みとるようにしたが、本発明にあってはこれに限らず。例えば、無線送信手段を備えたＩＤ端末でＩＤ照合情報を微弱な無線信号にして送信し、これを無線受信手段を備えた照合部で受信しＩＤ照合情報を照合するようにしてもよい。また、ＩＤ端末としてページャのみならず、携帯電話等の他の携帯端末を用いて構成しても良い。
このようにすれば照合をする度に、ＩＤ端末のバーコード表示部分をバーコード読取部に直接接触させて照合動作を行う必要がなくなる。例えば関係者がＩＤ端末のある特定のキーを押すと微弱な無線信号に変換されたＩＤ照合情報を送出するようにし、照合部ではこの無線信号を検出して照合を自動的に実施するようにすれば、入退場のドアを通過する人数が多い状況下で照合処理速度を上げる上で特に有効なものとなるであろう。
【００１８】
【発明の効果】
本発明は以上説明したように、入退場を制限された特定の場所へ設置した入退場管理システムにおいて、入退場のドアを通して入退場する関係者にページャ機能を有するＩＤ端末を識別媒体として所持させ、前記ＩＤ端末に当人であることを示すＩＤ照合情報を無線伝送しバーコード表示させるとともに、前記バーコード表示したＩＤ照合情報をもって前記入退場のドアの通過を制限管理し、また前記ＩＤ端末に伝送するＩＤ照合情報を時間的に更新することによって、従来識別媒体としてＩＤカード等を使用していたことで生じていた不正な偽造を防止できかつセキュリティ機能の高い入退場管理システムを提供することができその効果は大きい。
【図面の簡単な説明】
【図１】本発明に係わる入退場管理システムの第一の実施の形態例を示すブロック図。
【図２】本発明に係わる入退場管理システムの第二の実施の形態例を示すブロック図。
【図３】ページャ付きＩＤ端末のブロック図。
【図４】従来の入退場管理システムの実施の形態例を示すブロック図。
【符号の説明】
101・・・タイマー
102・・・ＩＤ番号発生部
103・・・制御部
104・・・記憶手段
105・・・公衆電話回線
106・・・回線接続部
107・・・無線基地局
108a,108b,108c,・・・・  ・・・ＩＤ端末
109・・・照合部
110・・・バーコード読取部
111・・・ドアキー部
301・・・アンテナ
302・・・高周波受信部
303・・・復調部
304・・・記憶手段
305・・・表示部
401・・・ＩＤカード
402・・・カードリーダ
403・・・照合部
404・・・照合部
405・・・ドアキー部
【図１】
0003959913.tif 000002
【図２】
0003959913.tif 000003
【図３】
0003959913.tif 000004
【図４】
0003959913.tif 000005